(57)【要約】  外径の異なる２種類の同軸ケーブルを含む複数本の同軸ケーブルを容易に同一の同軸ケーブル用コネクタに結線可能とするとともに、高さ寸法を小さくすることを目的とする。  ハウジング３、第１、第２、第３端子４、５、６及びシェル７を備えた同軸ケーブル用コネクタ１０において、第２、第３端子５、６の接続片５１、６１の水平位置を第１端子４の接続片４１の水平位置よりＨ１、Ｈ１＋Ｈ２だけ下方に配置して、第１、第２同軸ケーブル１、２を第１、第２ケーブル収容溝３１、３２に収容したときの上端面とシェル７の天板７１の内面との隙間を小さくする。また、第３端子６の接続片６１に連結片６２を介して連設された接触片６３の上端面を、第１ケーブル収容溝３１の底面の下側であって接続片６１の水平面より上の水平面上に配置して相手方コネクタ１００との接続に必要な差し込み深さを確保する。
2008001453.tif 000002
【特許請求の範囲】
【請求項１】
略同一水平面上で並列に配置された外径がD１、D２（D２はD１より大きい。）の第１、第２同軸ケーブル（１）（２）を含む複数本の同軸ケーブルの端部に結線される同軸ケーブル用コネクタであって、コネクタハウジング（３）と、コネクタハウジング（３）に固定された第１、第２、第３端子（４）（５）（６）と、コネクタハウジング（３）の外側に取り付けられた導電性のシェル（７）と、シェル（７）と第１同軸ケーブル（１）の外部導体（１３）との間に介在して両者を電気的に接続する接地部材（８）とを備え、コネクタハウジング（３）は、上面及び結線側の面を開口して第１、第２同軸ケーブル（１）（２）を略水平に収容する第１、第２ケーブル収容溝（３１）（３２）と、下方から上方へ向けて挿入される相手方コネクタ（１００）と嵌合する嵌合部（３５）とを備え、第１端子（４）は、第１ケーブル収容溝（３１）に収容される第１同軸ケーブル（１）の中心導体（１１）と接続する接続片（４１）と、接続片（４１）に連設されて相手方コネクタ（１００）との嵌合時に相手方コネクタ（１００）の対応する接触部（１２３）と接触する接触片（４２）  とを備え、第２端子（５）は、第２ケーブル収容溝（３２）に収容される第２同軸ケーブル（２）の中心導体（２１）と接続する接続片（５１）と、接続片（５１）に連設されて相手方コネクタ（１００）との嵌合時に相手方コネクタ（１００）の対応する接触部（１３３）と接触する接触片（５２）とを備え、第３端子（６）は、第２ケーブル収容溝（３２）に収容される第２同軸ケーブル（２）の外部導体（２３）と接続する接続片（６１）と、この接続片（６１）に連結片（６２）を介して隣接する第１ケーブル収容溝の底面の下側に連設されて、相手方コネクタ（１００）との嵌合時に相手方コネクタ（１００）の対応する接触部（１４３）と接触する接触片（６３）とを備え、接触片（６３）の上端面が接続片（６１）の水平面より上の水平面上に配設され、シェル（７）は第１、第２ケーブル収容溝（３１）（３２）の開口上面を覆う略水平な天板（７１）を備え、第１、第２端子（５）（６）の接続片（５１）（６１）の水平位置を第１端子（４）の接続片（４１）の水平位置により距離Ｈ１、Ｈ１＋Ｈ２だけ下に配設して第１、第２同軸ケーブル（１）（２）を第１、第２ケーブル収容溝（３１）（３２）に収容したときの接地部材（８）を含む第１同軸ケーブル（１）及び第２同軸ケーブル（２）の上端面とシェル（７）の天板（７１）の内面との隙間を小さくしたことを特徴とする同軸ケーブル用コネクタ。
【請求項２】
第１、第２、第３端子（４）（５）（６）がインサート成形によってコネクタハウジング（３）の所定位置に配設され、第２端子（５）が接続片（５１）の端部から連設された案内片（５３）を備え、案内片（５３）が第１端子（４）の接続片（４１）と略同一水平面上に位置する水平部を備えたことを特徴とす請求項１記載の同軸ケーブル用コネクタ。
【請求項３】
第１同軸ケーブル（１）を極細線の同軸ケーブルとし、第２同軸ケーブル（２）を細線の同軸ケーブルとし、接地部材（８）を複数本の極細線の同軸ケーブルの外部導体の上下面を並び方向に沿って一体的に接続するグランドバーとし、このグランドバーの上面をシェル（７）の天板（７１）と接続することを特徴とす請求項１又は２記載の同軸ケーブル用コネクタ。
【発明の詳細な説明】
【技術分野】
【０００１】
本発明は、情報端末機や携帯電話機などの各種電子機器に使用される同軸ケーブル用コネクタ（例えば同軸ケーブル用プラグ）に関するものである。特に、極細線の同軸ケーブル用に好適なコネクタに関するものである。
【背景技術】
【０００２】
従来の極細線の同軸ケーブル用コネクタは、複数本の極細線同軸ケーブルの内部導体、外部導体のそれぞれの端部を、信号側端子、接地用端子の接続片に個別に半田付けしていたので、作業工数が増えるとともに、端子間の狭ピッチ化が困難になるという問題があった。
前述の作業工数の削減と端子間の狭ピッチ化を図るために、つぎのような提案もなされる。
すなわち、複数本の極細線同軸ケーブルのコネクタ接続側の端部から、内部導体、内部絶縁被覆及び外部導体を順次露出させ、外部導体の両面をグランドバーで挟持し半田付けしてケーブル組立体を形成し、このケーブル組立体をハウジングの所定位置に組み込むとともに、ハウジングの外周側に取り付けたシェルをグランドバーに接触させ、複数本の極細線同軸ケーブルの外部導体をグランドバーで一括してシェルと電気的に接続し、作業工数の削減と端子間の狭ピッチ化を図っていた。
しかしながら、コネクタの高さを低くする（すなわち低背化する）ことが難しいという問題点があった。【０００３】
本発明者は、前記問題を解決するために、図９に示すような同軸ケーブル用コネクタ２００を提案した（特許文献１参照）。
すなわち、３本の極細線の同軸ケーブル２１０の端部から内部導体２１１、内部絶縁被覆２１２及び外部導体２１３を順次露出させ、各極細線の同軸ケーブル２１０を狭ピッチ（例えば０．５ｍｍピッチ）で水平方向に平行に配置し、外部導体２１３〜２１３の上下両面をグランドバー２２０、２２０で挟持し半田付けしてケーブル組立体２３０を形成する。
ついで、コネクタハウジング２４０の端子収容部２４１〜２４１のそれぞれに端子２５０を圧入して係止し、コネクタハウジング２４０のグランドバー収容部２４２にケーブル組立体２３０のグランドバー２２０、２２０を収容し、各極細線の同軸ケーブル２１０の内部導体２１１を対応する端子２５０の接続片２５１に半田付けする。
ついで、端子２５０〜２５０の上面側に絶縁板２６０を嵌め込み、コネクタハウジング２４０の外周側にシェル２７０を固定し、シェル２７０の舌片状の接触片２７１をグランドバー２２０、２２０に弾性接触させてシェル２７０と外部導体２１３〜２１３を電気的に接続する。
そして、端子２５０の接続片２５１と接触片２５２（相手方コネクタとの接触片）との間に第１、第２連結片２５３、２５５を形成し、第１連結片２５３の接続片２５１との連結部からの延伸方向（図では上方向）を接触片２５２の延伸方向（図では下方向）と反対方向としてコネクタの高さを低くするようにした。
【特許文献１】特開２００４−２５９６７２
【発明の開示】
【発明が解決しようとする課題】
【０００４】
しかしながら、図９に示した同軸ケーブル用コネクタ２００では、作業工数を減らし、端子間を狭ピッチ化し、コネクタの高さを低くできるという特徴を有するが、これらの特徴を具備しつつ、より外径の大きな同軸ケーブル（例えば細線の同軸ケーブル）を同一コネクタに一緒に結線することが難しいという問題点があった。
同一のコネクタに結線する場合、組み立て作業を容易にするために全ての結線用端子の接続片を同一基準面に整列させる必要があり、この必要を満たして外径の異なる複数本の同軸ケーブルを同一コネクタの結線用端子の接続片に結線しようとすると、コネクタの高さ寸法が大きくなるという問題点があった。
また、外径の異なる複数本の同軸ケーブルの中心導体を同一基準面に合わせるために、外径の小さい同軸ケーブル（例えば極細線の同軸ケーブル）の外径のみを外径の大きい同軸ケーブル（例えば細線の同軸ケーブル）に合わせようとすると、コネクタが大型化し、小型化できないという問題点があった。【０００５】
本発明は上述の問題点を解決するためになされたもので、外径の異なる２種類の同軸ケーブルを含む複数本の同軸ケーブルを容易に同一のコネクタに結線することができるとともに高さ寸法を小さくすることができる同軸ケーブル用コネクタを提供することを目的とする。
【課題を解決するための手段】
【０００６】
請求項１記載の発明は、略同一水平面上で並列に配置された外径がＤ１、Ｄ２（Ｄ２はＤ１より大きい。）の第１、第２同軸ケーブルを含む複数本の同軸ケーブルの端部に結線される同軸ケーブル用コネクタであって、コネクタハウジングと、前記コネクタハウジングに固定された第１、第２、第３端子と、前記コネクタハウジングの外側に取り付けられた導電性のシェルと、前記第１同軸ケーブルの外部導体と前記シェルとの間に介在して両者を電気的に接続する接地部材とを備え、前記コネクタハウジングは、上面及び結線側の面を開口して前記第１、第２同軸ケーブルを略水平に収容する第１、第２ケーブル収容溝と、下方から上方へ向けて挿入される相手方コネクタと嵌合する嵌合部とを備え、前記第１端子は、前記第１ケーブル収容溝に収容される前記第１同軸ケーブルの中心導体と接続する接続片と、この接続片に連設されて前記相手方コネクタとの嵌合時に前記相手方コネクタの対応する接触部と接触する接触片とを備え、前記第２端子は、前記第２ケーブル収容溝に収容される前記第２同軸ケーブルの中心導体と接続する接続片と、この接続片に連設されて前記相手方コネクタとの嵌合時に前記相手方コネクタの対応する接触部と接触する接触片とを備え、前記第３端子は、前記第２ケーブル収容溝に収容される前記第２同軸ケーブルの外部導体と接続する接続片と、この接続片に連結片を介して隣接する前記第２ケーブル溝の底面の下側に連設されて、前記相手方コネクタとの嵌合時に前記相手方コネクタの対応する接触部と接触する接触片とを備え、前記第３端子の接触片の上端面を前記第３端子の接続片の水平面より上の水平面上に配設し、前記シェルは前記第１、第２ケーブル収容溝の開口上面を覆う略水平な天板を備え、前記第２、第３端子の接続片の水平位置を前記第１端子の接続片の水平位置より距離Ｈ１、Ｈ１＋Ｈ２だけ下方に配設して、前記第１、第２同軸ケーブルを前記第１、第２ケーブル収容溝に収容したときの前記接地部材を含む前記第１同軸ケーブル及び前記第２同軸ケーブルの上端面と前記シェルの天板の内面との隙間を小さくしたことを特徴とする。【０００７】
請求項２記載の発明は、請求項１記載の発明において、第１、第２、第３端子がインサート成形によってコネクタハウジングの所定位置に配設され、第２端子が前記第２端子の接続片に連設された案内片を備え、前記案内片が前記第１端子の接続片と略同一水平面上に位置する水平部を備えたことを特徴とする。【０００８】
請求項３記載の発明は、請求項１又は２記載の発明において、第１同軸ケーブルを極細線の同軸ケーブルとし、第２同軸ケーブルを細線の同軸ケーブルとし、接地部材を、複数本の極細線の同軸ケーブルの外部導体の上下面を並び方向に沿って一体的に接続するグランドバーとし、前記グランドバーの上面をシェルの天板と接続することを特徴とする。
【発明の効果】
【０００９】
請求項１記載の発明は、コネクタハウジング、第１、第２、第３端子及びシェルを備えた同軸ケーブル用コネクタにおいて、コネクタハウジングが第１、第２ケーブル収容溝と嵌合部を備え、第２、第３端子の接続片の水平位置を、第１端子の接続片の水平位置より距離Ｈ１、Ｈ１＋Ｈ２だけ下方に配設して第１、第２同軸ケーブルを第１、第２ケーブル収容溝に収容したときの接地部材を含めた第１同軸ケーブルと第２同軸ケーブルの上端面とシェルの天板の内面との隙間を小さくするように構成したので、外径の異なる２種類の同軸ケーブルを含む複数本の同軸ケーブルを容易に同一のコネクタに結合することができるとともに、高さ寸法を小さくする（すなわち低背化する）ことができる。
また、第１、第２ケーブル収容溝が第１、第２同軸ケーブルを略水平に収容するので、第１、第２同軸ケーブルに曲げのような特別の加工をすることなく第１、第２ケーブル収容溝に収容し、第１、第２、第３端子の対応する接続片に半田付けすることができる。
また、第３端子は、その接触片の上端面が隣接する第１ケーブル収容溝の底面の下側であって、その接続片の水平面より上の水平面上に位置しているので、高さ寸法を小さくするとともに、第３端子の接触片の高さを確保し、相手方コネクタとの確実な嵌合接続に必要な差し込み深さを確保することができる。【００１０】
請求項２記載の発明は、請求項１記載の発明において、第１、第２、第３端子がインサート成形でコネクタハウジングに配設され、第２端子が案内片を備え、案内片の水平部を第１端子の接続片と略同一水平面上に配設したので、インサート成形時にコネクタハウジング成形用の金型内に第１、第２端子を配設する基準面が一致し、インサート成形が容易になる。【００１１】
請求項３記載の発明は、請求項１又は２記載の発明において、第１同軸ケーブルを極細線の同軸ケーブルとし、第２同軸ケーブルを細線の同軸ケーブルとし、複数本の極細線の同軸ケーブルの外部導体を一体的に接続するグランドバーを備え、グランドバーを複数本の極細線の同軸ケーブルとシェルの天板との間に配設して電気的接続をしたので、複数本の極細線の同軸ケーブルの外部導体をシェルと接続するための作業工数を減らすとともに、対応する第１端子間の狭ピッチ化を図ることができる。
【図面の簡単な説明】
【００１２】
【図１】図１は本発明によるプラグコネクタ１０（同軸ケーブル用コネクタの一例）の一実施例を示すもので、（a）は平面図、（ｂ）は（a）のAーA線断面図、（ｃ）は（a）のBーB線断面図ある。
【図２】図２は図１のプラグコネクタ３Ａの分解斜視図である。
【図３】図３は図１、図２中のハウジングアッセンブリ３Ａの平面図である。
【図４】図４は図３中のコネクタハウジング３にインサート成形で配設された第１、第２、第３端子４、４、５、６の配設状態を示す斜視図である。
【図５】図５は図１〜図４における第１、第２、第３端子４、５、６の相対的な水平位置を説明する図である。
【図６】図６はレセプタクルコネクタ１００（相手方コネクタの一例）を示すもので、（a）は平面図、（ｂ）は正面図、（ｃ）は左側面図である。
【図７】図７は図６（a）の断面を示すもので、（a）はAーA線拡大断面図、（ｂ）はBーB線拡大断面図、（ｃ）はCーC線拡大断面図である。
【図８】図８は図１、図２のプラグコネクタ１０を図６のレセプタクルコネクタ１００に嵌合した接続状態を示すもので、（a）は平面図、（ｂ）は（a）のAーA線拡大断面図、（ｃ）は（a）のBーB線拡大断面図である。
【図９】図９は公知例を示す分解斜視図である。
【符号の説明】
【００１３】
１…極細線の同軸ケーブル（第１同軸ケーブルの一例）
１１…中心導体
１３…外部導体       
２…細線の同軸ケーブル（第２同軸ケーブルの一例）
２１…中心導体
２３…外部導体        
３…コネクタハウジング    
３１…第１ケーブル収容溝  
３２…第２ケーブル収容溝
３５…嵌合部（嵌合凹部）  
３Ａ…ハウジングアッセンブリ 
４…第１端子
４１…接続片
４２…接触片
５…第２端子        
５１…接続片     
５２…接触片
５３…案内片
６…第３端子
６１…接続片
６２…連結片
６３…接触片   
７…シェル
７１…天板
８…グランドバー（接地部材の一例）
１０…プラグコネクタ（同軸ケーブル用コネクタの一例）
１００…レセプタクルコネクタ（相手方コネクタの一例）
【発明を実施するための最良の形態】
【００１４】
外径の異なる２種類の同軸ケーブルを含む複数本の極細線の同軸ケーブルを容易に同一
のコネクタに結線することができるとともに、高さ寸法を小さくすることができる。
【実施例１】
【００１５】
図１は本発明による同軸ケーブル用コネクタの一実施例としてのプラグコネクタ１０（以下単にプラグ１０と記述する。）を示すもので、（a）は平面図、（ｂ）は（a）のAーA線断面図、（ｃ）は（a）のBーB線断面図である。
図２は図１の分解斜視図である。
図１、図２において、１は第１同軸ケーブルの一例としての極細線の同軸ケーブル、２は第２同軸ケーブルの一例としての細線の同軸ケーブル、３はプラグハウジング（以下単にハウジングという。）、３Ａはハウジングアッセンブリ、４は第１端子、５は第２端子、６は第３端子、７は導電性のシェル、８は接続部材の一例としてのグランドバー、９はケーブル組立体である。【００１６】
同軸ケーブル１、１及び２は、略同一水平面上で並列に配設されている。
同軸ケーブル１、２は、外径がＤ１（例えばＤ１＝０．２９ｍｍ）、Ｄ２（例えばＤ２＝０．８１ｍｍ）に形成され、プラグ１０との結線側の端部から中心導体１１、２１、内部絶縁被覆１２、２２及び外部導体１３、２３が順次露出されている。１５、２５は同軸ケーブル１、２の外部絶縁被覆である。
ケーブル組立体９は、２本の同軸ケーブル１、１の露出させた外部導体１３、１３の上下両面を導電性のグランドバー８、８で挟持し半田付けして形成されている。【００１７】
ハウジング３は、絶縁性合成樹脂でモールド成形され、高さ寸法を小さく（例えば高さ＝１．４６ｍｍ）した低背型の略直方体状に形成されている。
ハウジング３には、上面側とケーブル結線側を開口し、ケーブル結線側の反対側を側壁３３、３４で閉塞して同軸ケーブル１、２を略水平に収容する第１、第２ケーブル収容溝３１、３２と、下側面を開口して相方コネクタの嵌合凸部と嵌合可能な嵌合凹部３５と、相方コネクタの係合突部と係合可能な係合凹部３６、３７と、側面の外側に凹設された係合凹部３８、３８とが形成されている。
第１、第２ケーブル収容溝３１、３２の溝の深さは、ケーブル組立体９、同軸ケーブル２を収容したときの上端面が第１、第２ケーブル収容溝３１、３２の溝の開口上端面と略同一かやや下方に位置するように形成されている。
第１ケーブル収容溝３１には、ケーブル組立体９のグランドバー８、８を位置決めして収容するとともに、ケーブル組立体９がケーブル結線側へ抜けるのを止めるための位置決め凹部３９、３９が形成されている。【００１８】
第１、第２、第３端子４，４、５、６は、導電性金属板（例えば厚さ０．１ｍｍの金属板）の抜き打ち、折り曲げ加工で図４及び図５に示すような形状に形成され、ハウジング３のモールド成形時に金型内の所定位置に配置され、インサート成形によってハウジング３の所定位置に固定され、ハウジングアッセンブリ３Ａが形成される。【００１９】
第１端子４は、同軸ケーブル１の中心導体１１に半田接続される略長方形板状の接続片４１と、この接続片４１の一側端部から下方へ略垂直に屈曲された接触片４２とを備えている。
接続片４１は、その一部がハウジング３の側壁３３を貫通して外部へ突出し、残りの大部分の接続面（上面）が第１ケーブル収容溝３１の側壁３３に近い底面上に露出している。
接触片４２は第１ケーブル収容溝３１の底面を貫通し、その接触面がハウジング３の嵌合凹部３５の内壁面に沿って露出している。【００２０】
第２端子５は、同軸ケーブル２の中心導体２１に半田接続される略長方形板状の接続片５１と、この接続片５１の一側端部から下方へ略垂直に屈曲された接触片５２と、接続片５１の他側端部から上方へ略直角に屈曲して連設された後に略直角に屈曲して接続片５１と反対側へ延設された案内片５３とを備えている。
案内片５３は、その水平部が第１端子４の接続片４１と略同一水平面上に位置すると共に、ハウジング３の側壁３４を貫通して外部へ突出し、その垂直部が側壁３４の内側面に沿って露出している。
接続片５１は、その接続面が第２ケーブル収容溝３２の側壁３４に近い底面上に露出している。
接触片５２は、第１ケーブル収容溝３１の底面を貫通し、その接触面がハウジング３の嵌合凹部３５の内壁面に沿って露出している。【００２１】
第３端子６は、同軸ケーブル２の外部導体２２に半田接続される略長方形板状の接続片６１と、この接続片６１の端部に連設された連結片６２と、この連結片６２の端部に連設された接触片６３とを備えている。
接続片６１は、その接続面が第２ケーブル収容溝３２の同軸ケーブル結線側に近い底面上に露出している。
連結片６２は、接続片６１の端部から上方へ第２ケーブル収容溝３２の内壁面に沿って上方へ略直角に屈曲する垂直部６２aと、この垂直部６２aの先端部から略直角に屈曲して隣接する第１ケーブル収容溝３１側へ（すなわち同軸ケーブル１、２の並び方向へ）延びる水平部６２ｂとを備え、この水平部６２ｂの大部分は、ハウジング３内に埋設されている。
接触片６３は、連結片６２の水平部６２ｂの端部であって、内側の同軸ケーブル１の下側に位置する部分から下方へ略直角に連接して形成され、その接触面がハウジング３の嵌合凹部３５の内壁面に沿って露出している。【００２２】
前記のようにハウジング３の所定位置に配設された第１、第２、第３端子４、５、６の相対的な水平位置は図５のようになる。
すなわち、ハウジング３の底面をＳ１、第１端子４の接続片４１の上面をＳ２（例えば基準面）、第１ケーブル収容溝３１の底面であって同軸ケーブル１の外部絶縁被覆１５が当接する面をＳ３とすると、第２端子５の接続片５１の上面が第１端子４の接続片４１の上面から距離Ｈ１（例えばＨ１＝０．２７ｍｍ）だけ下方に位置し、第３端子６の接続片６１の上面が第１端子４の接続片４１の上面から距離Ｈ１＋Ｈ２（例えばＨ１＋Ｈ２＝０．５２ｍｍ）だけ下方に位置している。ｈ１、ｈ２、ｈ３は例えば０．９１ｍｍ、０．９６ｍｍ、０．９１ｍｍに形成され、第１、第２、第３端子４、５、６の接触片４２、５２，６３の高さを確保し、距離ｈ２ーｈ３（例えばｈ２−ｈ３＝０．０５ｍｍ）に相当する厚みだけ、第３端子６の上端面と第１ケーブル収容溝３１の底面との間にハウジング３のモールド部分（絶縁体）が存在し、絶縁性を向上させている。【００２３】
シェル７は、導電性金属板の打ち抜き、折り曲げ加工で形成されたもので、ハウジング３の上面、両側面を覆う天板７１、側板７２、７２と、ハウジング３の側壁３３、３４側の外側を覆う前板７３とを備えている。
天板７１には、シェル７をハウジング３に係合したときグランドバー８の上面に当接してグランドバー８との半田付けを可能とする接続端子７４が形成されている。
側板７２、７２には、シェル７をハウジング３に係合したときにハウジング３の係合凹部３８、３８に係止する係止用ランス７５、７５が形成されるとともに、相手方コネクタと係合するための係合凹部７６、７６が形成されている。【００２４】
つぎに、図１に示すプラグ１０の組立及び同軸ケーブル１、２との結線について、図２〜図５を併用して説明する。【００２５】
（１）絶縁性合成樹脂のモールド成形によってハウジング３が形成される。このモールド成形時において、予め所定形状に形成された第１、第２、第３端子４，４、５、６    が金型内の所定位置に配置され、インサート成形によってハウジング３の所定位置に固定され、図２〜図４に示すようなハウジングアッセンブリ３Ａが形成される。
このとき、第１端子４の接続片４１と第２端子５の案内片５３がハウジング３の略同一水平面上に配設されているので、インサート成形用の金型内に第１、第２端子４，４、５を配置する基準面（例えば面Ｓ１）が一致し、インサート成形を容易にすることができる。【００２６】
（２）２本の同軸ケーブル１については、その結線側端部から中心導体１１、内部絶縁被覆１２及び外部導体１３を順次露出させ、同軸ケーブル１、１を所定ピッチ（例えば０．５ｍｍピッチ）で水平面上に並列に配置し、その上下面を接着テープ（図示省略）で挟持して固定し、外部導体１３、１３の上下両面をグランドバー８、８で挟持し半田（図示省略、以下同様。）付けしてケーブル組立体９を形成する。
グランドバー８、８で２本の同軸ケーブル１の外部導体１３を共通に半田付けしているので、作業工数を減らすとともに狭ピッチ化を図ることができる。
また、同軸ケーブル２についても、その結線側端部から中心導体２１、内部絶縁被覆２２及び外部導体２３を順次露出させる。【００２７】
（３）前記（１）で形成されたハウジングアッセンブリ３Ａのハウジング３の第１ケーブル収容溝３１に前記（２）で形成されたケーブル組立体９を略水平状態で収容する。
このとき、ケーブル組立体９のグランドバー８、８が第１ケーブル収容溝３１の位置決め凹部３９、３９に収容され、位置決めと抜け止めがなされるとともに、同軸ケーブル１、１の中心導体１１、１１が第１端子４、４の接続片４１、４１上に略水平に配置されるので、中心導体１１、１１と接続片４１、４１の半田付けを容易にすることができる。
また、ハウジング３の第２ケーブル収容溝３２に、前記（２）で端末処理された同軸ケーブル２を略水平状態で収容する。
このとき、同軸ケーブル２の中心導体２１が第２端子５の接続片５１上に略水平に配置されるので、中心導体２１と接続片５１の半田付けを容易にすることができる。
また、同軸ケーブル２の外部導体２３が第３端子６の接続片６１上に略水平に配置されるので、外部導体２３と接続片６１の半田付けを容易にすることができる。【００２８】
（４）ついで、同軸ケーブル１、２を結線したハウジングアッセンブリ３Ａに対して、そのハウジング３のケーブル結線側と反対側の方向からシェル７を挿入し、ハウジング３の係合凹部３８、３８にシェル７の係止用ランス７５、７５を係止して固定状態とし、シェル７の接続端子７４とケーブル組立体９のグランドバー８、８とを半田付けして電気的に接続する。
以上のようにして、図１に示すようなプラグ１０の組立及び同軸ケーブル１、２との結線が行われる。
このとき、第２、第３端子５、６の接続片５１、６１の水平位置を第１端子４の接続片４１の水平位置よりＨ１、Ｈ１＋Ｈ２だけ下方に配置して、ケーブル組立体９、同軸ケーブル２を第１、第２ケーブル収容溝３１、３２に収容したときの上端面とシェル７の天板７１の内面との隙間を小さくするほど、コネクタの高さ寸法を小さくすることができる。【００２９】
つぎに、プラグ１０と嵌合する相手方コネクタについて説明する。
１００は相手方コネクタの一例としてのレセプタイルコネクタ（以下単にレセプタクルという。）を表し、このレセプタクルはプリント配線基板に実装される。
レセプタクル１００は、図６及び図７に示すように、プラグ挿入凹部１１１が形成された縦断面が略Ｕ字状のハウジング本体１１０と、このハウジング本体１１０の端子挿入部に圧入、係止された信号側端子１２０、１２０、電源プラス側端子１３０、電源マイナス側端子１４０及び接地側端子１５０、１５０とを備えている。【００３０】
ハウジング本体１１０のプラグ挿入凹部１１１の底面部には、プラグ１０との嵌合時にプラグ１０の嵌合凹部３５と嵌合する嵌合凸部１１２と、プラグ１０との嵌合時にプラグ１０の係合凹部３６、３７と係合する係合突部１１３、１１４とが突設している。
ハウジング本体１１０は、プラグ挿入凹部１１１を形成する両側壁１１５、１１５を備えている。   【００３１】
信号側端子１２０は、図７（ｂ）に示すように、ハウジング本体１１０の係合突部１１３に形成された端子 係止部に圧入、係止される略逆Ｕ字状の固定片１２１と、この固定片１２１の一端側に連設されてプリント配線基板の信号用ランドに半田付けされる接続片１２２と、固定片１２１の他端側に連設されてプラグ１０との嵌合時に対応する第１端子４の接触片４２と弾性接触する弾性接触片１２３とを備えている。【００３２】
電源プラス側端子１３０は、図７（a）に示すように、信号側端子１２０と同一形状に形成され、ハウジング本体１１０の係合突部１１３の対応する端子 係止部に圧入、係止される固定片１３１と、この固定片１３１に連設されてプリント配線基板の電源プラス用ランドに半田接続される接続片１３２と、固定片１３１に連設されてプラグ１０との嵌合時に第２端子５の接触片５２と弾性接触する弾性接触片１３３とを備えている。【００３３】
電源マイナス側端子１４０は、図７（ｂ）に示すように、信号側端子１２０と同一形状に形成され、ハウジング本体１１０の係合突部１１４に形成された端子係止部に圧入、係止される固定片１４１と、この固定片１４１に連設されてプリント配線基板の電源マイナス用ランドに半田接続される接続片１４２と、固定片１４１に連設されてプラグ１０との嵌合時に第３端子６の接触片６３と弾性接触する弾性接触片１４３とを備えている。【００３４】
接地側端子１５０は、図７（ｃ）に示すように、ハウジング本体１１０の側壁１１５に形成された端子係止部に圧入、係止される逆Ｕ字状の固定片１５１と、この固定片１５１の一端側に連設されてプリント配線基板の接地用ランドに半田接続される接続片１５２と、固定片１５１の他端側に連設されて先端部がプラグ挿入凹部１１１内に突出し、プラグ１０との嵌合時にシェル７の係合凹部７６と係合する弾性接触片１５３とを備えている。【００３５】
つぎに、プラグ１０とレセプタクル１００の嵌合について図８を用いて説明する。
レセプタクル１００のプラグ挿入凹部１１１にプラグ１０を挿入することによって、プラグ１０とレセプタクル１００が接続される。
このとき、接地側端子１５０、１５０の弾性接触片１５３、１５３の先端部がシェル７の係合凹部７６、７６に係合してロックし、プラグ１０がレセプタクル１００から抜けるのを防止するとともに、接地側端子１５０、１５０とシェル７が電気的に接続される。
このため、同軸ケーブル１、１の外部導体１３、１３は図８（ｃ）に示すように、グランドバー８、８シェル７を経、接地側端子１５０、１５０を介してプリント配線基板の接地ラインに電気的に接続される。【００３６】
また、プラグ１０とレセプタクル１００の接続によって、レセプタクル１００の嵌合凸部１１２とプラグ１０の嵌合凹部３５が嵌合するとともに、レセプタクル１００の係合突部１１３、１１４とプラグ１０の係合凹部３６、３７が係合し、図８（ｂ）（ｃ）に示すように、レセプタクル１００の信号側端子１２０、１２０、電源プラス側端子１３０、電源マイナス側端子１４０の弾性接触片１２３、１２３、１３３、１４３のそれぞれがプラグ１０の第１、第２、第３端子４、４、５、６の接触片４２、４２、５２、６３に弾性接触する
このため、同軸ケーブル１、１の中心導体１１、１１は、第１端子４、４を経、信号側端子１２０、１２０を介してプリント配線基板の信号ラインに電気的に接続され、同軸ケーブル２の中心導体２１は、第２端子５を経、電源プラス側端子１３０を介してプリント配線基板の電源プラス側ラインに電気的に接続され、同軸ケーブル２の外部導体２３は、第３端子６を経、電源マイナス側端子１４０を介してプリント配線基板の電源マイナス側ラインに電気的に接続される。【００３７】
前記実施例では携帯電話機や携帯端末のような小型電子機器に好適な同軸ケーブル用コネクタを得るために、第１同軸ケーブルが極細線の同軸ケーブル、第２同軸ケーブルが細線の同軸ケーブル、接地部材がグランドバーの場合について説明したが、本発明はこれに限るものでなく、第１同軸ケーブルの外径Ｄ１に対して第２同軸ケーブルの外径Ｄ２が大きい（すなわちＤ２＞Ｄ１）場合について利用することができる。【００３８】
前記実施例では、第１、第２端子のハウジングへのインサート成形を容易にするために、第２端子が案内片を備え、この案内片の水平部が第１端子の接続片と略同一水平面上に配置されている場合について説明したが、本発明はこれに限るものでなく、第２端子が案内片を備えない場合についても利用することができる。
【産業上の利用可能性】
【００３９】
情報端末機や携帯電話機などの各種電子機器のプリント配線基板間を電気的に接続するための同軸ケーブル用コネクタにおいて、外径の小さい第１同軸ケーブルと外径の大きい第２同軸ケーブルとで、容量の異なる電気量を同一のコネクタで伝達するのに利用できる。  例えば、外径の小さい第１同軸ケーブルで基板間の信号の伝達を行い、外径の大きい第２同軸ケーブルで基板間で電源の伝達を行う場合に利用することができる。  
【図１】
2008001453.tif 000003
【図２】
2008001453.tif 000004
【図３】
2008001453.tif 000005
【図４】
2008001453.tif 000006
【図５】
2008001453.tif 000007
【図６】
2008001453.tif 000008
【図７】
2008001453.tif 000009
【図８】
2008001453.tif 000010
【図９】
2008001453.tif 000011
【国際調査報告】
2008001453.tif 000012
2008001453.tif 000013
2008001453.tif 000014
2008001453.tif 000015